(57)【要約】【課題】片持ち支持でリードスクリューの軸振を抑制可能な光ピックアップ装置を提供すること。【解決手段】ベース部と、前記ベース部に配設されるガイドシャフトと、レンズを保持するとともに前記ガイドシャフトによって前記ガイドシャフトの軸方向に移動可能に支持されるレンズホルダと、モータ及び前記モータに取り付けられるリードスクリュー有して前記レンズホルダを前記ガイドシャフトの軸方向に移動させる駆動部と、前記リードスクリューを少なくとも２方向から挟み込む押さえ部を有する弾性部材と、を備えることとする。【選択図】図１
2014056626.tif 000002
【特許請求の範囲】
【請求項１】
ベース部と、
前記ベース部に配設されるガイドシャフトと、
レンズを保持するとともに前記ガイドシャフトによって前記ガイドシャフトの軸方向に移動可能に支持されるレンズホルダと、
モータ及び前記モータに取り付けられるリードスクリュー有して前記レンズホルダを前記ガイドシャフトの軸方向に移動させる駆動部と、
前記リードスクリューを少なくとも２方向から挟み込む押さえ部を有する弾性部材と、
を備えることを特徴とする光ピックアップ装置。
【請求項２】
前記レンズホルダは前記リードスクリューが挿通される溝部を有するとともに前記溝部の近傍に取付部を有し、前記弾性部材が前記取付部に取り付けられたときに前記押さえ部が前記リードスクリューを挟み込むことを特徴とする請求項１に記載の光ピックアップ装置。
【請求項３】
前記弾性部材は前記取付部に着脱可能に取り付けられることを特徴とする請求項１又は請求項２に記載の光ピックアップ装置。
【請求項４】
前記取付部の外周面は湾曲形成された曲面部を有し、前記弾性部材は前記曲面部に回動可能に取り付けられる略円弧状の嵌合部を有することを特徴とする請求項１〜請求項３のいずれか１項に記載の光ピックアップ装置。
【発明の詳細な説明】
【技術分野】
【０００１】
本発明は、レンズを備えた光ピックアップ装置に関する。
【背景技術】
【０００２】
光ピックアップ装置は、Ｂｌｕ−ｒａｙ Ｄｉｓｃ（登録商標）やＤＶＤなどの光ディスクから情報を読み取ったり、光ディスクに情報を書き込んだりする際に利用される。光ピックアップ装置は光源からの光を光ディスクに向かって照射し、光ディスクで反射した光を読み取って電気信号に変換、出力している。
【０００３】
光ピックアップ装置は光ディスクから読み取って出力する出力信号を最も適正な値で得ることができるよう、内蔵されたレンズなどを適正な位置に調整する必要がある。そして、光ピックアップ装置の出力信号の適正値を得るため、光ピックアップ装置は内蔵されたレンズ等を変位させながらその出力信号を測定し、信号の推移を算出することがある。
【０００４】
ここでレンズ等を変位させる方法について説明する。従来の光ピックアップ装置はベース部、ベース部に配設されるガイドシャフト、レンズを保持するレンズホルダ、モータを備える。モータにはリードスクリューが取り付けられ、該リードスクリューにはリードナットが螺合している。レンズホルダには、ガイドシャフトが挿通される挿通孔と、リードスクリューが挿通される溝部が形成されている。レンズホルダはガイドシャフトによってガイドシャフトの軸方向に移動可能に支持される。なお、ガイドシャフトはリードスクリューの軸方向と平行に配設される。
【０００５】
モータによりリードスクリューが回転駆動されると、リードナットがリードスクリューに沿ってリードスクリューの軸方向に移動する。これに伴ってレンズホルダがガイドシャフトに沿ってガイドシャフトの軸方向に移動する。このようにしてレンズが変位される。
【０００６】
ところで高精度にレンズを変位させるためには、レンズホルダの揺れを抑制する必要がある。レンズホルダは上述したようにリードスクリューの回転駆動により移動するものである。よって、リードスクリューが回転駆動する際に軸振（軸の揺れ）が発生すると、これに伴ってレンズホルダに揺れが発生する。そこで特許文献１のレンズ駆動装置は、ガイドシャフトの挿通孔を構成する筒状部に取り付けたコイルスプリングの一端をリードスクリュー側に突出させてリードスクリューを押圧することで軸振を抑制することが開示されている。
【先行技術文献】
【特許文献】
【０００７】
【特許文献１】特開２０１１−１６５２７２号公報
【発明の概要】
【発明が解決しようとする課題】
【０００８】
しかしながら特許文献１のように一方向からリードスクリューを押圧する方法では軸振を効果的に抑制することは困難である。また、一方向からリードスクリューを押圧することによりリードスクリューに負荷がかかる。従ってリードスクリューをその一端と他端の両端側で支持する、いわゆる両持ち支持とする必要があり、一端のみで支持する、いわゆる片持ち支持とすることができない。よって部品点数が増え、装置の大型化、作業工程及びコストの増加につながる。
【０００９】
本発明は上述した問題点に鑑み、片持ち支持でリードスクリューの軸振を抑制可能な光ピックアップ装置を提供することを目的とする。
【課題を解決するための手段】
【００１０】
上記目的を達成するために本発明の光ピックアップ装置は、ベース部と、前記ベース部に配設されるガイドシャフトと、レンズを保持するとともに前記ガイドシャフトによって前記ガイドシャフトの軸方向に移動可能に支持されるレンズホルダと、モータ及び前記モータに取り付けられるリードスクリュー有して前記レンズホルダを前記ガイドシャフトの軸方向に移動させる駆動部と、前記リードスクリューを少なくとも２方向から挟み込む押さえ部を有する弾性部材と、を備えることを特徴とする。
【００１１】
この構成によれば、リードスクリューが弾性部材の押さえ部によって、少なくとも２方向から挟み込まれるのでリードスクリューに負荷を与えることなくリードスクリューの軸振が抑制される。従って、リードスクリューを片持ち支持とすることができる。そしてリードスクリューの軸振が抑制されることによりレンズホルダの揺れが抑制されるので、レンズホルダによって保持されるレンズの変位を高精度に行うことができる。
【００１２】
また上記構成の光ピックアップ装置において、前記レンズホルダは前記リードスクリューが挿通される溝部を有するとともに前記溝部の近傍に取付部を有し、前記弾性部材が前記取付部に取り付けられたときに前記押さえ部が前記リードスクリューを挟み込むことが望ましい。
【００１３】
この構成によれば、取付部をリードスクリューが挿通される溝部の近傍に設けているので、取付部からリードスクリューまでの距離が短い。従って押さえ部の長さを短くしてリードスクリューを挟み込む力を強くすることができ、軸振抑制機能を高めることができる。
【００１４】
また上記構成の光ピックアップ装置において、前記弾性部材は前記取付部に着脱可能に取り付けられることが望ましい。
【００１５】
この構成によれば、前記弾性部材が着脱可能であるため、弾性部材の強度（リードスクリューを挟み込む力）が低下してリードスクリューの軸振を抑制する機能が低下したとき等に容易に交換を行うことができる。
【００１６】
また上記構成の光ピックアップ装置において、前記取付部の外周面は湾曲形成された曲面部を有し、前記弾性部材は前記曲面部に回動可能に取り付けられる略円弧状の嵌合部を有することが望ましい。
【００１７】
この構成によれば、弾性部材が備える略円弧状の嵌合部が、湾曲形成された曲面部に取り付けられる。そして弾性部材は曲面部に対して回動可能に取り付けられるので、リードスクリューの位置や取付部の位置に誤差が生じても、弾性部材が回動することでリードスクリューがしっかりと挟み込まれる。
【発明の効果】
【００１８】
本発明によれば、リードスクリューが弾性部材の押さえ部によって、少なくとも２方向から挟み込まれるのでリードスクリューに負荷を与えることなくリードスクリューの軸振が抑制される。従って、リードスクリューを片持ち支持とすることができる。そしてリードスクリューの軸振が抑制されることによりレンズホルダの揺れが抑制されるので、レンズホルダによって保持されるレンズの変位を高精度に行うことができる。
【図面の簡単な説明】
【００１９】
【図１】実施形態に係る光ピックアップ装置の構成を示すの平面図
【図２】実施形態に係る光ピックアップ装置の構成を示すの底面図
【図３】駆動部の構造を示す斜視図
【図４】駆動部の構造を示す背面図
【図５】図３のＨ部の拡大図
【図６】レンズホルダの要部拡大斜視図
【図７】スプリングナットの斜視図
【発明を実施するための形態】
【００２０】
以下に本発明の光ピックアップ装置について図面を参照して説明する。但し、以下に示す実施形態は、本発明の技術的思想を具体化するために本発明の光ピックアップ装置の一例を示すものである。従って本発明をこの光ピックアップ装置に特定することを意図するものではない。特許請求の範囲に含まれるその他の実施形態の光ピックアップ装置にも等しく適応し得るものである。図１は本実施形態の光ピックアップ装置の構成を示す平面図である。図２は本実施形態の光ピックアップ装置の構成を示す底面図である。
【００２１】
光ピックアップ装置１は２系統の光学系を備え、一方はＢＤ用の光学系で、他方はＤＶＤ及びＣＤ用の光学系である。この２系統の光学系は光ピックアップ装置１によって情報の読み取りや書き込みが行われる光ディスクの種類に応じて切り替えて使用される。以下、光ピックアップ装置１が備える光学系について説明する。
【００２２】
光ピックアップ装置１はベース部２を備え、ベース部２には第１の光源（ＢＤ用光源）１０、第２の光源（ＤＶＤ／ＣＤ用光源）１１、回折素子１２、１／２波長板１３、ハーフミラー１４、偏光ビームスプリッタ１５、シリンドリカルレンズ１６、光検出器（フォトディテクタ）１７、１／４波長板１８、コリメートレンズ１９、第１の対物レンズ（ＢＤ用対物レンズ）２０、第２の対物レンズ（ＤＶＤ／ＣＤ用対物レンズ）２１、コリメートレンズ１９を変位させる駆動手段３０が取り付けられる。
【００２３】
第１の光源１０は波長４０５帯の短波長のレーザ光を出射するレーザダイオードである。第２の光源１１は波長６００帯の長波長のレーザ光を出射するレーザダイオードである。
【００２４】
ここでまず、第１の光源１０から出射されたレーザ光を情報記録媒体（本実施形態においてはＢＤ）の情報記録面に照射する場合について説明する。第１の光源１０から出射されたレーザ光は回折素子１２によって主ビームと副ビームに分けられる。回折素子１２から出射したレーザ光は、偏光ビームスプリッタ１５で反射されて１／４波長板１８に送られる。
【００２５】
１／４波長板１８を通過したレーザ光はコリメートレンズ１９に入射する。コリメートレンズ１９はレーザ光の収差を補正して平行光を得るレンズである。コリメートレンズ１９は駆動手段３０によって光軸方向に移動可能（１／４波長板１８に対して離間可能）に支持される。なお、駆動手段３０の構成については後述する。
【００２６】
コリメートレンズ１９を通過したレーザ光は立ち上げミラー（不図示）等を介して第１の対物レンズ２０に入射される。駆動手段３０によってコリメートレンズ１９を光軸方向に変位させると、第１の対物レンズ２０に入射するレーザ光の収束拡散状態が変化する。これによって球面収差の補正を行うことができる。
【００２７】
第１の対物レンズ２０はレーザ光を集光してＢＤの情報記録面に集光したレーザ光を照射する。ＢＤの情報記録面で反射されたレーザ光（以下、情報記録媒体の情報記録面で反射されたレーザ光を「戻りレーザ光」ともいう。）は第１の対物レンズ２０を通過後、コリメートレンズ１９、１／４波長板１８を通過する。１／４波長板１８を通過した戻りレーザ光は直線偏光に変換されて偏光ビームスプリッタ１５に入光し、偏光ビームスプリッタ１５を透過する。
【００２８】
偏光ビームスプリッタ１５を透過した光はハーフミラー１４、非点収差を付与する機能を有するシリンドリカルレンズ１６を透過して光検出器（フォトディテクタ）１７の受光面に集光する。光検出器１７は受光した光信号を電気信号に変換して出力してその電気信号を図示しないＲＦランプに出力する。
【００２９】
次に、第２の光源１１から出射されたレーザ光を情報記録媒体（本実施形態においてはＤＶＤ又はＣＤ）の情報記録面に照射する場合について説明する。
【００３０】
第２の光源１１から出射されたレーザ光は１／２波長板１３を通過し、ハーフミラー１４によって反射される。ハーフミラー１４で反射されたレーザ光は偏光ビームスプリッタ１５を透過して１／４波長板１８に送られる。
【００３１】
１／４波長板１８を通過したレーザ光はコリメートレンズ１９に入射する。コリメートレンズ１９を通過したレーザ光は立ち上げミラー（不図示）等を介して第２の対物レンズ２１に入射される。第２の対物レンズ２１はレーザ光を集光してＤＶＤ／ＣＤの情報記録面に集光したレーザ光を照射する。ＤＶＤ／ＣＤの情報記録面で反射されたレーザ光は第２の対物レンズ２１を通過後、コリメートレンズ１９、１／４波長板１８を通過する。１／４波長板１８を通過した戻りレーザ光は直線偏光に変換されて偏光ビームスプリッタ１５に入光し、偏光ビームスプリッタ１５を透過する。
【００３２】
偏光ビームスプリッタ１５を透過した光はハーフミラー１４、非点収差を付与する機能を有するシリンドリカルレンズ１６を透過して光検出器（フォトディテクタ）１９の受光面に集光する。光検出器１７は受光した光信号を電気信号に変換して出力してその電気信号を図示しないＲＦランプに出力する。
【００３３】
コリメートレンズ１９を光軸方向に変位させる駆動部３０について図１〜図５を参照して説明する。図３は駆動部の構造を示す斜視図である。図４は駆動部の構造を示す背面図である。図５は図３のＨ部の拡大図である。
【００３４】
駆動部３０は、コリメートレンズ１９を保持するレンズホルダ３１、レンズホルダ３１をコリメートレンズ１９の光軸方向に摺動可能に支持するガイドシャフト３２、コリメートレンズ１９の光軸方向に平行な方向に延びるリードスクリュー３３が取り付けられるモータ３４を備える。
【００３５】
レンズホルダ３１はリードスクリュー３３が挿通される溝部３１ａ、ガイドシャフト３２が挿通される挿通孔３１ｂ、スプリングナット４０が取り付けられる取付部３１ｃを備える。スプリングナット４０は取付部３１ｃに取り付けられた状態でリードスクリュー３３に噛み合う。モータ３４が駆動してリードスクリュー３３が回転駆動すると、スプリングナット４０がリードスクリュー３３に沿ってリードスクリュー３３の軸方向に移動し、これに伴ってレンズホルダ３１がガイドシャフト３２に沿ってガイドシャフト３２の軸方向に移動する。これによってコリメートレンズ１９が変位される。
【００３６】
さらにレンズホルダ３１、スプリングナット４０について詳説する。図６はレンズホルダの要部拡大斜視図である。図７はスプリングナットの斜視図である。
【００３７】
レンズホルダ３１は上述したようにスプリングナット４０が着脱可能に取り付けられる取付部３１ｃを備える。取付部３１ｃは溝部３１ａの近傍に設けられる。取付部３１ｃの外周面は図６に示すように湾曲形成された曲面部３１１を有する。
【００３８】
スプリングナット４０は弾性部材である。スプリングナット４０は図７に示すように、曲面部３１１に回動可能に取り付けられる略円弧状の嵌合部４０ａ、曲面部３１１に嵌合部４０ａが嵌合することによりリードスクリュー３３を挟み込む２本の押さえ部４０ｂを備える。
【００３９】
押さえ部４０ｂは嵌合部４０ａの両端から延びて形成され、嵌合部４０ａと押さえ部４０ｂとの間には絞りが形成される。絞りが形成されていることにより、振動や回動等によって嵌合部４０ａが曲面部３１１から外れることが防止される。また、スプリングナット４０の曲面部３１１に対する取付を容易にするため、押さえ部４０ｂの先端部は末広がり状に形成されている。
【００４０】
スプリングナット４０は曲面部３１１に取り付けられることで、リードスクリュー３３と噛み合うとともにリードスクリュー３３を挟み込んでリードスクリュー３３の回転に伴う軸振を抑制する。このようにリードスクリュー３３を押さえ部４０ｂによって２方向から挟み込むことでリードスクリュー３３に負荷をかけることなく軸振が抑制される。従ってリードスクリュー３３を両持ち支持としても片持ち支持としてもリードスクリュ３３に負荷をかけることなく軸振が抑制される。
【００４１】
なお、取付部３１ｃの外周面の形状及びスプリングナット４０の嵌合部４１ａの形状を、スプリングナット４０を取付部３１ｃに取り付けた際に回動不能な形状（例えば略矩形状）としてもよいが、上述したような回動可能な形状であることが望ましい。スプリングナット４０が曲面部３１１に回動可能に取り付けられることによりリードスクリュー３３のベース部２への取り付け精度等が高くない場合であっても、スプリングナット４０が回動してリードスクリュー３３を挟み込むからである。
【００４２】
上述したようにスプリングナット４０は、リードスクリュー３３が回転することによってリードスクリュー３３に沿って軸方向に移動する。スプリングナット４０が移動する範囲はリードスクリュー３３のネジ部の一端から他端の間である。
【００４３】
ところでスプリングナット４０がリードスクリュー３３の一端に到達したときにはリードスクリュー３３の回転駆動を停止する必要がある。その理由は、特に上述した従来の光ピックアップ装置のようにリードスクリューとリードナットによってレンズホルダを駆動する際に、リードナットがリードスクリューの一端に到達してもなおリードスクリューを回転させるとリードナットがリードスクリューに噛み込むことがあるからである。リードナットがリードスクリューに噛み込むとリードスクリューを逆回転させてもリードナットが移動しないという現象が発生する。
【００４４】
しかしながら、本実施形態のスプリングナット４０は弾性部材であり、押さえ部４０ｂはリードスクリュー３３の軸方向に対して垂直な方向に開閉可能である。従ってスプリングナット４０がリードスクリュー３３の一端に到達してもなおリードスクリュー３３の回転が停止しなくても、押さえ部３０ｂがネジ部の山部を乗り越えるのでスプリングナット４０がリードスクリュー３３に噛み込むことがない。
【００４５】
[その他]
上記実施形態においてレンズホルダ３１が備える取付部３１ｃに、レンズホルダ３１とは別部品のスプリングナット４０を取り付けることとしたが、レンズホルダ３１がスプリングナット４０を備えることとしてもよい。すなわち、スプリングナット４０をレンズホルダ３１に対して着脱不能に取り付けることとしてもよい。これによりレンズホルダ３１の取付部３１ｃにスプリングナット４０を取り付ける工程を削除することができ、製造工程が簡略化する。
【００４６】
また、スプリングナット４０が２本の抑え部４０ｂを備え、リードスクリュー３３を２方向から挟み込むこととしたが、スプリングナット４０が抑え部４０ｂを３本以上備えていてもよい。リードスクリュー３３を３方向以上から挟み込むことでよりリードスクリュー３３の軸振を抑制することができる。
【００４７】
また、レンズホルダ３１をコリメートレンズ１９を保持するレンズホルダとしたが、保持するレンズはこれに限られるものではない。リードスクリューが取り付けられるモータの駆動力によって任意のレンズを光軸方向に移動可能に保持するレンズホルダに適用することができる。
【符号の説明】
【００４８】
１          光ピックアップ装置
２          ベース部
１０        第１の光源
１１        第２の光源
１２        回折素子
１３        １／２波長板
１４        ハーフミラー
１５        偏光ビームスプリッタ
１６        シリンドリカルレンズ
１７        光検出器
１８        １／４波長板
１９        コリメートレンズ
２０        第１の対物レンズ
２１        第２の対物レンズ
３０        駆動手段
３１        レンズホルダ
３１ａ      溝部
３１ｃ      取付部
３２        ガイドシャフト
３３        リードスクリュー
３４        モータ
４０        スプリングナット
３１１      曲面部
４０ａ      嵌合部
４０ｂ      押さえ部
【図１】
2014056626.tif 000003
【図２】
2014056626.tif 000004
【図３】
2014056626.tif 000005
【図４】
2014056626.tif 000006
【図５】
2014056626.tif 000007
【図６】
2014056626.tif 000008
【図７】
2014056626.tif 000009